(57)【要約】包装体（１５’、１５”）を製作するための複合材料製の包装スリーブ（１０’、１０”）が図示および説明される。包装スリーブ（１０’、１０”）は、スリーブ面（１７）と、全周の包装スリーブ（１０’、１０”）を形成するために複合材料の２つの端縁をつなぐ長手方向シーム（１１）と、スリーブ面（１７）を通る２本の疑似折り目線（１８）とを備え、両疑似折り目線（１８）に沿って折り畳まれる。より複雑な形状の包装体の製作を可能にするために、包装スリーブ（１０’、１０”）はスリーブ面（１７）の領域に２本の疑似折り目線（１８）以外の更なる折り目線、または連続した折り目線を有さないことが想定される。加えて、このような包装スリーブ（１０’、１０”）製の包装体（１５’、１５”）、ならびにこのような包装スリーブ（１０’、１０”）から包装体（１５’、１５”）を製作する方法が図示および説明される。【選択図】図２Ｂ
2019510697.tif 000002
【特許請求の範囲】
【請求項１】
包装体（１５’）を製作するための複合材料製の包装スリーブ（１０’）であって、
−  ２つの部分面域（１７Ａ、１７Ｂ）から形成されたスリーブ面（１７）と、
−  全周の包装スリーブ（１０’）を形成するために前記複合材料の２つの端縁をつなぐ長手方向シーム（１１）と、
−  前記スリーブ面（１７）を通る２本の疑似折り目線（１８）と、
を備え、
−  前記包装スリーブ（１０’）は前記２本の疑似折り目線（１８）に沿って折り畳まれる、
包装スリーブ（１０’）において、
前記包装スリーブ（１０’）は、前面側部分面域（１７Ａ）の領域に更なる折り目線を前記２本の疑似折り目線（１８）の間に有さないことを特徴とする、包装スリーブ（１０’）。
【請求項２】
包装体（１５”）を製作するための複合材料製の包装スリーブ（１０”）であって、
−  ２つの部分面域（１７Ａ’、１７Ｂ’）から形成されたスリーブ面（１７’）と、
−  全周の包装スリーブ（１０”）を形成するために前記複合材料の２つの端縁をつなぐ長手方向シーム（１１）と、
−  前記スリーブ面（１７’）を通る２本の疑似折り目線（１８）と、
を備え、
−  前記包装スリーブ（１０”）は前記２本の疑似折り目線（１８）に沿って折り畳まれる、
包装スリーブ（１０”）において、
前記包装スリーブ（１０”）は、前面側部分面域（１７Ａ’）の領域に更なる折り目線を前記２本の疑似折り目線（１８）の間に有さないことを特徴とする、包装スリーブ（１０”）。
【請求項３】
少なくとも一部の区間において中断および／または細分割された折り目線（２”、２０、２０’）が裏面側部分面域（１７Ｂ’）に設けられることを特徴とする、請求項１または２に記載の包装スリーブ（１０”）。
【請求項４】
前記裏面側部分面域（１７Ｂ’）に配置される前記折り目線は折り目線断端（２”）として形成され、前記折り目線断端（２”）は前記包装スリーブ（１０”）の底領域に、および／またはゲーブル領域に、配置可能であることを特徴とする、請求項３に記載の包装スリーブ（１０”）。
【請求項５】
前記裏面側部分面域（１７Ｂ’）に配置される前記折り目線は、好ましくは互いにほぼ平行に延びる、細分割された折り目線（２０、２０’）として形成されることを特徴とする、請求項３または４に記載の包装スリーブ（１０”）。
【請求項６】
前記包装スリーブ（１０’、１０”）は前記２本の疑似折り目線（１８）に沿って何れの場合も約１８０°の角度で扁平に折り畳まれることを特徴とする、請求項１または請求項２〜５の何れか一項に記載の包装スリーブ（１０’、１０”）。
【請求項７】
前記包装スリーブ（１０’、１０”）の両側に配置された底面（８）およびゲーブル面（９）によって特徴付けられる、請求項１〜６の何れか一項に記載の包装スリーブ（１０’、１０”）
【請求項８】
前記底面（８）および前記ゲーブル面（９）は何れの場合も２つの矩形面（８、１２Ｂ）またはゲーブル面（９、１２Ｇ）と６つの三角形面（１３）とを含むことを特徴とする、請求項７に記載の包装スリーブ（１０’、１０”）。
【請求項９】
前記疑似折り目線（１８）は前記底面（８）の３つの隣接する三角形面（１３）の接点（ＳＢ）と前記ゲーブル面（９）の３つの隣接する三角形面（１３）の接点（ＳＧ）とを通ることを特徴とする、請求項８に記載の包装スリーブ（１０’、１０”）。
【請求項１０】
前記包装スリーブ（１０’、１０”）の裏面側の前記ゲーブル面（９）は、前記包装スリーブ（１０’、１０”）の前面側の前記ゲーブル面（１２Ｇ）の長さ（Ｌ９ｍａｘ）より短い長さ（Ｌ９ｍｉｎ）を有することを特徴とする、請求項７〜９の何れか一項に記載の包装スリーブ（１０’、１０”）。
【請求項１１】
前記包装スリーブ（１０’、１０”）の前面側は、少なくともいくつかの区間にわたって凸状に湾曲した前縁（１９）によって前記スリーブ面（１７Ａ）に界接する前面側ゲーブル面（１２Ｇ）を有することを特徴とする、請求項７〜１０の何れか一項に記載の包装スリーブ（１０’、１０”）。
【請求項１２】
前記前面側ゲーブル面（１２Ｇ）は凸状に湾曲したエンボス線（１９’）を上縁領域に有することを特徴とする、請求項１１に記載の包装スリーブ（１０’、１０”）。
【請求項１３】
前記前面側ゲーブル面（１２Ｇ）は好ましくは中心に配置された脆弱ゾーン（Ｓ）を有することを特徴とする、請求項１〜１２の何れか一項に記載の包装スリーブ（１０’、１０”）。
【請求項１４】
前記疑似折り目線（１８）は前記包装スリーブ（１０’、１０”）の外面に筋付けされることを特徴とする、請求項１〜１３の何れか一項に記載の包装スリーブ（１０’、１０”）。
【請求項１５】
前記折り目線（２’、２”、２０、２０’）は前記包装スリーブ（１０’、１０”）の内面に筋付けされることを特徴とする、請求項１〜１４の何れか一項に記載の包装スリーブ（１０’、１０”）。
【請求項１６】
複合材料製の包装体（１５’、１５”）であって、
−  前記包装体（１５’、１５”）は、請求項１〜１４の何れか一項に記載の包装スリーブ（１０’、１０”）から製作され、
−  前記包装体（１５’、１５”）は、底面（８）の領域およびゲーブル面（９）の領域において閉鎖される、
包装体（１５’、１５”）において、
前記包装体（１５’、１５”）はスリーブ面（１７）の領域に端縁を有さない、または連続した端縁を有さない、ことを特徴とする包装体（１５’、１５”）。
【請求項１７】
複合材料製の包装体（１５’、１５”）であって、
−  前記包装体（１５’、１５”）は、請求項１〜１４の何れか一項に記載の包装スリーブ（１０’、１０”）から製作され、
−  前記包装体（１５’、１５”）は、底面（８）の領域およびゲーブル面（９）の領域において閉鎖される、
包装体（１５’、１５”）において、
前記包装体（１５’、１５”）は前面側スリーブ面（１７Ａ）の領域に端縁を有さない、または連続した端縁を有さない、ことを特徴とする包装体（１５’、１５”）。
【請求項１８】
少なくともいくつかの区間にわたって中断および／または細分割された折り目線（２”、２０、２０’）が裏面側部分面域（１７Ｂ’）に設けられることを特徴とする、請求項１６または１７に記載の包装体（１５’、１５”）。
【請求項１９】
前記疑似折り目線（１８）に隣接する前記スリーブ面（１７）の前記部分領域（１７Ａ、１７Ｂ）は互いに対して何れの場合も１６０°と２００°の間、特に１７０°と１９０°の間、の角度範囲内に配置されることを特徴とする、請求項１６〜１８の何れか一項に記載の包装体（１５’、１５”）。
【請求項２０】
前記包装体（１５’、１５”）の下方領域において前記底面（８）に付着される耳（１４）によって特徴付けられる、請求項１６〜１９の何れか一項に記載の包装体（１５’、１５”）。
【請求項２１】
前記包装体（１５’、１５”）の上方領域において前記スリーブ面（１７）に付着される耳（１４）によって特徴付けられる、請求項１６〜２０の何れか一項に記載の包装体（１５’、１５”）。
【請求項２２】
複合材料製の包装スリーブ（１０’、１０”）から包装体（１５’、１５”）を製作する方法であって、
（ａ）請求項１〜１５の何れか一項に記載の包装スリーブ（１０’、１０”）を供給するステップと、
（ｂ）前記包装スリーブ（１０’、１０”）のスリーブ面（１７）を両疑似折り目線（１８）に沿って折り返すステップと、
を含む方法。
【請求項２３】
前記疑似折り目線（１８）に隣接する前記スリーブ面（１７）の部分領域（１７Ａ、１７Ｂ）は、再び折り返された後、何れの場合も互いに対して１６０°と２００°の間、特に１７０°と１９０°の間、の角度範囲内にあることを特徴とする、請求項２２に記載の方法。
【発明の詳細な説明】
【技術分野】
【０００１】
本発明は、包装体を製作するための複合材料製の包装スリーブであって、スリーブ面と、全周の包装スリーブを形成するために複合材料の２つの端縁をつなぐ長手方向シームと、スリーブ表面を通る２本の疑似折り目線とを備え、両疑似折り目線に沿って折り畳まれる包装スリーブに関する。
【０００２】
本発明は、上記包装スリーブから製作された、底面の領域およびゲーブル面の領域で閉鎖される複合材料製の包装体にも関する。
【０００３】
本発明は、最後に、複合材料製の包装スリーブから包装体を製作する方法に関する。
【背景技術】
【０００４】
包装体は、種々の方法で広範囲の材料から製作され得る。包装体製作のために広く採用される可能性がある一方法は、包装材からブランクを製作し、このブランクから折り畳みおよび更なる工程によって最初に包装スリーブが得られ、最後に包装体が得られ、この包装体が充填および閉鎖されると、包装体が形成されるという方法である。この種の製作は、とりわけ、ブランクおよび包装スリーブが極めて扁平であり、したがって積み重ねおよび輸送を省スペースで行えるという利点がある。これにより、ブランクおよび包装スリーブの製作を１つの場所で行い、包装スリーブの折り曲げおよび充填を別の場所で行える。材料としては、多くの場合、複合材料、例えば紙、厚紙、プラスチック、または金属、特にアルミニウム、のいくつかの薄層から成る複合材料が使用される。このような包装体は古くから公知であり、特に食品業界において広く使用されている。
【０００５】
第１の製作工程は、多くの場合、折り畳みおよびシームの封着または接合、によってブランクから全周の包装スリーブを形成することにある。ブランクの折り畳みは、通常、エンボス加工された折り目線に沿って行われる。折り目線の位置は、この場合、包装スリーブから製作される包装体の端縁の位置に相当する。これは、完成した包装体が何れの場合も折り曲げられる箇所でのみ、ブランクおよび包装スリーブが折り曲げられるという利点を有する。包装スリーブから包装体を製作する方法は、例えば特許文献１（特に図１Ａ〜図１Ｅ）から公知である。この特許文献に記載の包装体は、断面積が矩形であり、形状が全体として直平行六面体である。
【０００６】
矩形の断面積を有する包装体に加え、断面積の角の数が４つを超える包装体も公知である。特許文献２または特許文献３からは、例えば断面積が八角形の包装体が公知である。これら包装体の形状は、ブランクに設けられた追加の折り目線によって実現される。
【０００７】
ただし、その後の包装体の端縁に沿って包装スリーブを折り曲げることによる一欠点は、角張った断面積を有する包装体しか製作できないという事実である。加えて、その断面積が包装体の鉛直方向に変化しない包装体しか製作できない。端縁の代わりの代替形状構成、例えば湾曲またはフリーフォーム形状など、は不可能である。
【０００８】
包装スリーブ（「スリーブ」）およびこれから製作される包装体（「容器」）が特許文献４から公知である。そこに記載されている包装スリーブからは、その断面積が鉛直方向に変化する（ゲーブルおよび底の断面積が矩形で、その間の断面積に８つの角がある）包装体の製作が可能である。ただし、この包装体も角張った断面積のみを有する。端縁の代わりの代替形状構成、例えば湾曲またはフリーフォーム形状など、は特許文献４にも記載されていない。加えて、そこに記載されている包装スリーブは、複合材料製ではなく、厚紙または段ボールで構成されている。液体の充填のために、プラスチック材料製の内袋が提案されている。
【０００９】
包装スリーブとこれから製作される包装体とが特許文献５にも記載されている。この特許文献では、板紙製の長い材料ストリップに最初に折り目線が設けられ、次にプラスチック層で被覆される（図６）。長手方向シームの形成（図７）後、矩形断面を有する管体を形成するために、材料ストリップは折り曲げられる（図８）。次に、この管体の２つの側面が内側に折り畳まれ、これにより管体は扁平形状になる（図９）。横方向に延びるシームが指定された間隔で形成され、これらに沿って管体を折り畳むことができ、ひいてはスタックが形成される（図１０）。横方向に延びる複数のシームの領域において管体を分離することによって、横方向に延びるシームによって片側で既に閉じられている個々の包装スリーブが得られる。この手順の一欠点は、包装スリーブは、管体からのその分離時に、６本の折り目線に沿って既に折り曲げられており、そのうちの４本の折り目線がその後の包装体の端縁を形成するという事実である。したがって、これら包装スリーブも矩形の断面積を有する包装体の製作にのみ適している。
【００１０】
別の包装スリーブとこれから製作される包装体とが特許文献６に記載されている。ただし、この包装スリーブの場合も、多数の折り目線がスリーブ面の領域に設けられており、その一部がそれから製作される包装体のその後の端縁を形成する。したがって、これら包装スリーブも鉛直方向に不変の角張った断面積を有する包装体の製作にしか適していない。
【先行技術文献】
【特許文献】
【００１１】
【特許文献１】国際公開第２０１５／００３８５２（Ａ９）号
【特許文献２】欧州特許第０  ９３６  １５０（Ｂ１）号
【特許文献３】米国特許第６，０４２，５２７（Ａ）号
【特許文献４】欧州特許出願公開第０  ０２７  ３５０（Ａ１）号
【特許文献５】英国特許出願公開第８０８，２２３（Ａ）号
【特許文献６】国際公開第９７／３２７８７（Ａ２）号
【発明の概要】
【課題を解決するための手段】
【００１２】
この背景に対して、本発明の目的は、より複雑な形状の包装体の製作を可能にする、冒頭に記載し、上でより詳細に説明した包装スリーブを設計することである。
【００１３】
この目的は、先ず第一に、包装スリーブはスリーブ面の領域に更なる折り目線を２本の疑似折り目線の間に有さないことで、請求項１の前提部分に記載の包装スリーブによって達成される。
【００１４】
「スリーブ面」とは、包装スリーブのゲーブル領域のゲーブル面と底領域の底面との間に位置する面を意味する。したがって、スリーブ面は、従来の包装体における包装体の前面および裏面ならびに２つの側面を足した総体に相当する。
【００１５】
この目的の一代替解決策は、包装スリーブがスリーブ面の領域に連続的な折り目線を２本の疑似折り目線の間に有さず、包装スリーブのもう一方の側には少なくとも１本の折り目線が少なくとも部分的に複数区間で中断されて、または分割されて、湾曲して、および／または不均一に、延在する、請求項２の前提部分に記載の包装スリーブによって達成される。これに関連して、「連続した」折り目線とは、スリーブ面を完全に、例えば底面からゲーブル面まで、縦断する折り目線を意味すると理解されたい。
【００１６】
本発明の別の教示によると、第２の代替案により、裏面側部分面域に配置される折り目線は、折り目線断端として形成される。「折り目線断端」とは、底面および／またはゲーブル面のすぐ隣に配置された短い折り目線区間を意味すると理解されたい。これが有利であるのは、例えばマンドレル上での底領域の製作における、折り畳み、閉鎖、および封着時である。その理由は、ポケットまたはこれに類するものに起因する漏れが角部で発生し得ないからである。
【００１７】
本発明の別の実施形態において、裏面側部分面域に配置される折り目線は、好ましくは互いにほぼ平行に延びる、分割された複数の折り目線として形成される。これにより、ほぼ矩形の横断面を有する従来の端縁領域を「解消」し、多角形の横断面に置き換えることができる。これは、特に、その中身が即時消費用に意図されている飲料用包装体の裏面側の場合、「角が取れた」または「面取りされた」包装体の裏面は、包装体を把持している指に極めて良好に適合するので、人間工学的な取り扱いを可能にする。
【００１８】
本発明による包装スリーブは、両代替案において、複合材料で構成され、例えば飲料または他の液体食品のために適した、包装体の製作のために役立つ。特に、この包装スリーブは、紙、厚紙、プラスチック、および／または酸素障壁としての金属、特にアルミニウム、のいくつかの薄層から成る複合材料で構成可能である。包装スリーブは一体構成で形成されることが好ましい。包装スリーブは、連続した前面側スリーブ面を含む。この包装スリーブから製作される包装体の場合、このスリーブ面は、前方に向かってアーチ状に湾曲し、前面および２つの側面の部分の代わりとなる。
【００１９】
この包装スリーブは、全周の包装スリーブを形成するために、複合材料の両側の２つの端部をつなぐ長手方向シームを更に含む。この長手方向シームによって、周方向に閉じられた管体状の包装スリーブが扁平な略矩形のブランクから製作され得る。長手方向シームの領域の複合材料は、ブランクの内端で折り返され、それ自体は公知の方法で「剥がされる」ことが好ましい。これにより、この領域の層の数が残りの領域より少なくなる。これにより、製品に露出される包装体の内縁も確実に閉鎖されるので、湿気が複合材料に浸透し得ない。
【００２０】
包装スリーブは２つの開口部を有する。一方は底面の領域にあり、もう一方はゲーブル面の領域にある。長手方向シームは、例えば接着および／または溶着によって、形成可能である。長手方向シームにより、このような包装スリーブは、長手方向シームが封着された包装スリーブとも呼ばれる。
【００２１】
本発明による包装スリーブは、スリーブ面を通る２本の「疑似折り目線」を更に有する。これら疑似折り目線は、従来の折り目線とも同様に、包装スリーブの折り畳みを容易にする。これら折り目線が「疑似折り目線」と呼ばれるのは、これら折り目線は、包装スリーブを扁平に折り畳むときにのみ使用され、充填される包装体を形成するための展開時に平らに折り戻されるからである。これら折り目線は、材料脆弱部によって形成され得る。この材料脆弱部は、複合材料の液密状態を維持するために、ミシン目ではなく、代わりに所謂「クリース」が使用される。クリースは、型押しまたは圧力工具によって複合材料にエンボス加工された、または筋付けされた、直線状の材料変位である。２本の疑似折り目線は直線状であり、互いに平行に延びる。包装スリーブは、両疑似折り目線に沿って折り畳まれる。
【００２２】
したがって、本発明は、包装スリーブの折り畳みをこの包装スリーブから製作される包装体の端縁を形成する折り目線に沿って行わないという着想に基づく。したがって、包装スリーブは、包装体の前面、裏面、および２つの側面を互いから区切る折り目線で折り畳まれない。代わりに、実際の折り目線はスリーブ面の領域から完全に、または部分的に、省かれ、包装スリーブはこれら疑似折り目線に沿ってのみ折り畳まれる。ただし、これら疑似折り目線は、その後に包装体の端縁を形成しない。これにより、包装体形状の自由な構成が可能になり、特に実質的にあらゆる任意の横断面を有する包装体の製作が可能になる。特に、折り目線がなくアーチ状の表面を有する包装体の製作が可能である。
【００２３】
包装スリーブの別の実施形態において、包装スリーブは両疑似折り目線に沿って何れの場合も約１８０°の角度で折り畳まれることによって、ブランクから形成されることが想定される。ほぼ１８０°の角度での折り畳みにより、特に扁平な包装スリーブが得られる。これにより、包装スリーブが互いに密に当接されるので、包装スリーブの積み重ねを省スペースで行え、容積の最適利用が可能になり、ひいては充填ユニットまでの輸送が可能になる。これにより、包装スリーブの製作は、完成した包装体の充填および製作とは別の場所で行える。包装スリーブは、両疑似折り目線に沿って外側に折り畳まれることが好ましい。
【００２４】
包装スリーブの別の構成は、スリーブ面の両側に配置された底面およびゲーブル面によって特徴付けられる。包装体を直立させた場合、ゲーブル面はスリーブ面の上方に配置され、底面はスリーブ面の下に配置されることが好ましい。
【００２５】
包装スリーブのこの形状構成に関して、底面およびゲーブル面は、何れの場合も、２つの矩形面またはゲーブル面と６つの三角形面とを含むことが更に提案される。矩形面およびゲーブル面ならびに三角形面は、折り目線によって取り囲まれ、これら折り目線に界接することが好ましい。矩形面は、包装体の底およびゲーブルを折り畳むために役立つ。三角形面は、過剰な複合材料を折り畳んで突出する「耳」を形成するために役立つ。耳は、その後、包装体の側面に付着される。
【００２６】
この目的のために、疑似折り目線は、底面の３つの隣接する三角形面の接点とゲーブル面の３つの隣接する三角形面の接点とを通ることが更に提案される。疑似折り目線のこの配置は、疑似折り目線は、例えば「耳」を形成するために、何れの場合も折り畳まれる必要がある底面およびゲーブル面を１点において通るという利点がある。したがって、疑似折り目線に沿った包装スリーブの折り畳みは、「耳」の中心を通る折り目線の「折り癖付け」を予めもたらす。疑似折り目線のこの中心配置の更なる利点は、これら疑似折り目線が包装体の端縁領域の配置のためのスペースをできる限り小さく画定することである。底面および／またはゲーブル面の三角形面のうちの２つがほぼ同じサイズであることが想定され得る。あるいは、底面の、および／またはゲーブル面の、３つ全ての三角形面がそれぞれ異なるサイズを有することが想定され得る。
【００２７】
本発明の別の教示によると、包装スリーブの裏面側のゲーブル面が包装スリーブの前面側のゲーブル面の長さより短い長さを有することが想定される。この配置は、包装体の前面の高さが包装体の裏面より低いことを意味する。したがって、包装体は、前方に傾いた傾斜上面を有する（「ゲーブルが傾いた包装体」）。
【００２８】
本発明の別の実施形態において、包装スリーブの前面側は、前面側ゲーブル面を有する。前面側ゲーブル面は、少なくともいくつかの区間にわたって凸状に湾曲した前縁によってスリーブ面から区切られる。これにより、ブリッジシームによって裏面側に界接するゲーブル面は前方に向かって拡大され、ひいては相対的に大きな直径を有する注ぎ口要素の取り付けを可能にする。加えて、前面側ゲーブル面は、凸状に湾曲したエンボス線を上側コーナー領域に有することもできる。これにより、ゲーブル面は楕円に似た一様な形状を呈するので、その真ん中に注ぎ口要素を配置できる。この目的のために、脆弱ゾーン、例えば所謂「事前に薄片化された穴（独：ueberbeschichtetes Loch，英：prelaminated hole）」、が前面側ゲーブル面の中心に都合よく設けられる。
【００２９】
包装スリーブの別の実施形態は、疑似折り目線が包装スリーブの外面に筋付けされ、包装スリーブの裏面側の折り目線が包装スリーブの内面に筋付けされることを想定している。これにより、個々のブランクに切断される前の複合材料製ストリップの筋付けまたはエンボス加工処理における製作がより簡素化される。また、筋付け方向とエンボス加工方向との組み合わせがもたらされ得る。
【００３０】
上記の目的は、請求項１〜１４の何れか一項に記載の包装スリーブから製作された、底面の領域およびゲーブル面の領域において閉鎖される複合材料製の包装体によっても達成される。この包装体は、スリーブ面の領域に連続した直線状の折り目線がないことを特徴とする。
【００３１】
包装体は上記の包装スリーブのうちの１つから製作されるので、この包装スリーブの多くの特性および利点がこの包装体にも存在する。特定の一利点は、この包装体は、２箇所で折り曲げられた包装スリーブから製作されているにも拘らず、そのスリーブ面の領域に角張った端縁がないという事実である。これは、包装体製作時に包装スリーブが２本の疑似折り目線に沿って「折り返される」ので、何れの場合も疑似折り目線に隣接するスリーブ面の部分領域は、再び変形されて互いにある程度一続きになることで実現される。したがって、疑似折り目線は包装体の端縁を形成せず、そのスリーブ面にその存在が僅かに見えるだけである。したがって、直線状の角張った端縁の代わりに、個々に形作られた、例えば湾曲した、スリーブ面を有する包装体が得られることになる。特に、包装体のスリーブ面の領域に折り目線が何もないことが想定される。包装体は、一体に形成されることが好ましい。特に、複合材料から製作された包装体の部分は、何れも場合も一体に形成されることが好ましい。包装体のこの部分は、更なる要素によって、例えば開口部、注ぎ口要素、および閉口要素（例えばヒンジ式フラップクロージャまたはネジ式キャップ）または飲用補助具（例えば飲用ストロー）によって、補完され得る。
【００３２】
包装体の１つの実施形態において、疑似折り目線に隣接するスリーブ面の部分領域は、互いに対して何れの場合も１６０°と２００°の間、特に１７０°と１９０°の間、の角度範囲内に配置されることが想定される。この形状構成の特定の一利点は、包装体に折り目線を有さず、したがって、その側面に角張った端縁を有さないという事実である。これは、包装体製作時に包装スリーブが２本の疑似折り目線に沿って「折り返される」ので、疑似折り目線に隣接するスリーブ面の部分領域がほぼ同じ平面に配置されるという事実によって実現される。
【００３３】
包装体の別の実施形態は、包装体の下方領域において底面に付着される耳によって特徴付けられる。代わりに、または加えて、包装体は、包装体の上方領域においてスリーブの側面に付着される耳によって特徴付けられる。包装体の下方領域において、耳は底面に異なる方法で付着され得る。底の１つの変形例は、耳が、底に対してドームのように僅かにアーチ状に形成された、底の矩形面の下に折り畳まれて、そこに固着されることを想定している。ただし、底の別の変形例は、内向きの耳を想定している。これらの耳は、その後に折り畳まれた底の矩形面の上方に配置される。第１の変形例は、充填された包装体の固有重量によって耳が包装体に確実に押し付けられるという利点があり、第２の変形例は特に滑らかな直立用の面を底にもたらす。スリーブ側面への上側の耳の配置は、注ぎ口要素を包装体の上面に配置できるという利点がある。
【００３４】
冒頭に記載の目的は、複合材料製の包装スリーブから包装体を製作する方法によっても達成される。これに関連して、本方法は、
−  請求項１〜１４の何れか一項に記載の包装スリーブを供給するステップと、
−  包装スリーブのスリーブ面を両疑似折り目線に沿って折り返すステップと、
を少なくとも含む。
【００３５】
本方法は、加えて、
−  包装スリーブを底面の領域において封着するステップと、
−  注ぎ口要素を必要に応じて取り付けるステップと、
−  包装体に充填するステップと、
−  包装スリーブをゲーブル面の領域において封着するステップと、
を更に含み得る。
【００３６】
上記のように、本方法は、包装スリーブから製作される包装体の端縁がこの包装スリーブの疑似折り目線によって形成されない包装体を製作するという着想に基づく。これを可能にするのは、疑似折り目線に沿って折り畳まれた包装スリーブが「折り返され」、それによって疑似折り目線に沿った折り曲げが取り消されるという事実である。したがって、包装スリーブに設けられた疑似折り目線は包装体の端縁を形成しない。これにより、より複雑な形状の包装体の製作が可能になる。
【００３７】
本方法の別の実施形態によると、疑似折り目線に隣接するスリーブ面の両部分領域は、折り返し後、何れの場合も１６０°と２００°の間、特に１７０°と１９０°の間、の角度範囲内に再びあることが最終的に提案される。したがって、スリーブ面の部分領域は、スリーブ面がスリーブ面の部分領域間にほぼ一続きの移行部を有するまで、疑似折り目線に沿って折り返される必要がある。
【００３８】
以下においては、単に好適な一例示的実施形態の助けを借りて、本発明をより詳細に説明する。
【図面の簡単な説明】
【００３９】
【図１Ａ】包装スリーブを折り畳むための従来技術から公知のブランクである。
【図１Ｂ】図１Ａに示されているブランクから形成された従来技術から公知の包装スリーブの扁平に折り畳まれた状態である。
【図１Ｃ】図１Ｂの包装スリーブの展開された状態である。
【図１Ｄ】底面およびゲーブル面に折り癖が付けられた図１Ｃの包装スリーブである。
【図１Ｅ】図１Ａに示されているブランクから形成された、溶着後の、従来技術から公知の包装体である。
【図１Ｆ】耳が付着された図１Ｅの包装体である。
【図２Ａ】本発明による包装スリーブの第１の実施形態を製作するためのブランクである。
【図２Ｂ】図２Ａに示されているブランクから形成された包装スリーブの正面図である。
【図２Ｃ】図２Ｂの包装スリーブの背面図である。
【図２Ｄ】図２Ｂおよび図２Ｃの包装スリーブの展開された状態である。
【図２Ｅ】底面およびゲーブル面に外向きの折り癖が付けられた図２Ｄの包装スリーブの背面斜視図である。
【図２Ｆ】図２Ｅに示されている包装スリーブから形成されて開口、注出、および閉口要素が取り付けられた本発明による包装体の第１の実施形態の閉鎖後の正面斜視図である。
【図２Ｇ】上側の耳が付着され、下側の耳が折り込まれた図２Ｆの包装体である。
【図２Ｅａ】底面に内向きの折り癖が付けられ、ゲーブル面に外向きの折り癖が付けられた、図２の包装スリーブの背面斜視図である。
【図２Ｆａ】図２Ｅａに示されている包装スリーブから形成されて開口、注出、および閉口要素が取り付けられた本発明による包装体の別の実施形態の閉鎖後の正面斜視図である。
【図２Ｇａ】上側の耳が付着され、下側のフィンシームが付着された図２Ｆａの包装体である。
【図３Ａ】本発明による包装スリーブの第２の実施形態を製作するためのブランクである。
【図３Ｂ】図３Ａに示されているブランクから形成された包装スリーブの正面図である。
【図３Ｃ】図３Ｂの包装スリーブの背面図である。
【図３Ｄ】図３Ｂおよび図３Ｃの包装スリーブの展開された状態である。
【図３Ｅ】底面およびゲーブル面に外向きの折り癖が付けられた図３Ｄの包装スリーブの背面斜視図である。
【図３Ｆ】図３Ｅに示されている包装スリーブから形成されて開口、注出、および閉口要素が取り付けられた本発明による包装体の第１の実施形態の閉鎖後の正面斜視図である。
【図３Ｇ】上側の耳が付着され、下側の耳が折り込まれた図３Ｆの包装体である。
【図３Ｅａ】底面に内向きの折り癖が付けられ、ゲーブル面に外向きの折り癖が付けられた、図３Ｄの包装スリーブの背面斜視図である。
【図３Ｆａ】図３Ｅａに示されている包装スリーブから形成されて開口、注出、および閉口要素が取り付けられた本発明による包装体の別の実施形態の閉鎖後の正面斜視図である。
【図３Ｇａ】上側の耳が付着され、下側のフィンシームが付着された図３Ｆａの包装体である。
【発明を実施するための形態】
【００４０】
図１Ａには、包装スリーブを形成可能な従来技術から公知のブランク１が示されている。ブランク１は、異種材料、例えば紙、厚紙、プラスチック、または金属、特にアルミニウム、の層をいくつか含み得る。ブランク１は、いくつかの折り目線２を有する。これら折り目線２は、ブランク１の折り曲げを容易にするためであり、ブランク１をいくつかの面に細分割する。ブランク１は、第１側面３、第２側面４、前面５、裏面６、封着面７、底面８、およびゲーブル面９に細分割され得る。ブランク１から包装スリーブが形成され得る。このとき、封着面７が前面５に接合、特に溶着、され得るように、ブランク１は折り畳まれる。
【００４１】
図１Ｂは、従来技術から公知の包装スリーブ１０の扁平に折り畳まれた状態を示す。図１Ｂでは、図１Ａに関して既に説明した包装スリーブの領域には、対応する参照符号が付けられている。包装スリーブ１０は、図１Ａに示されているブランク１から形成される。この目的のために、ブランク１は、封着面７と前面５とが重なり合って配置されるように折り畳まれるので、この２つの面を互いに扁平に溶着できる。その結果、長手方向シーム１１が形成される。図１Ｂには、扁平に折り合わされた状態の包装スリーブ１０が示されている。この状態において、一方の側面４（図１Ｂでは隠れている）は前面５の下に位置し、もう一方の側面３は裏面６（図１Ｂでは隠れている）の上に位置している。扁平に折り合わされた状態では、複数の包装スリーブ１０の積み重ねおよび輸送を特に省スペースで行える。したがって、包装スリーブ１０は、多くの場合、製作現場で積み重ねられ、積み重ねられた状態で充填現場に輸送される。これら包装スリーブ１０は、製品、例えば飲料、を充填できるように、充填現場において初めて個々に分離されて展開される。
【００４２】
図１Ｃには、図１Ｂの包装スリーブ１０が展開された状態で示されている。ここでも、図１Ａまたは図１Ｂに関して既に説明した包装スリーブ１０の領域に、対応する参照符号が付けられている。展開された状態とは、それぞれ隣接する２つの面３、４、５、６の間に約９０°の角度が形成され、これら面の形状に応じて、包装スリーブ１０が正方形または矩形の断面を有する構成を意味すると理解されたい。これに対応して、対向する側面３、４は互いに平行に配置される。同じことは、前面５および裏面６にも当てはまる。
【００４３】
図１Ｄは、折り癖が付けられた状態の、すなわち底面８の領域において、更にはゲーブル面９の領域において、折り目線２に折り癖が付けられた状態の、図１Ｃの包装スリーブ１０を示す。前面５および裏面６に隣接する底面８およびゲーブル面９の領域は、矩形面１２とも呼ばれる。矩形面１２は折り癖が付けられるときに内向きに折り曲げられ、その後に包装体の底およびゲーブルを形成する。他方、側面３、４に隣接する底面８およびゲーブル面９の領域は、三角形面１３と呼ばれる。三角形面１３は、折り癖が付けられるときに外向きに折り曲げられ、余剰材料の突出領域を形成する。この突出領域は、「耳」１４とも呼ばれ、以降の製作工程で、例えば接合処理によって、包装体側面に付着され得る。
【００４４】
図１Ｅは、図１Ａに示されているブランクから形成された、従来技術から公知の包装体１５を示す。封着後の、すなわち充填および閉鎖後の状態の、包装体１５が示されている。底面８の領域およびゲーブル面９の領域には、閉鎖後にフィンシーム１６が形成される。図１Ｅには、突出する耳１４およびフィンシーム１６が示されている。耳１４ならびにフィンシーム１６は以降の製作工程において、例えば接合手法によって、付着される。これに関連して、耳１４のみが封着可能であり、これにより、フィンシーム１６は必然的に側面側に変位される。
【００４５】
図１Ｆは、耳１４が付着された図１Ｅの包装体１５を示す。加えて、フィンシーム１６も包装体１５に付着されている。ゲーブル面９の領域に配置されている上側の耳１４は下方に折り曲げられ、２つの側面３、４に扁平に付着されている。上側の耳１４は、２つの側面３、４に接合または溶着されることが好ましい。底面の領域に配置されている下側の耳１４も折り込まれている。ただし、下側の耳１４は、底面８の２つの矩形面１２によって形成された、包装体１５のドーム形の湾曲した下面に扁平に付着されている。下側の耳１４も、包装体１５に、特に矩形面１２に、接合または封着されることが好ましい。
【００４６】
図２Ａは、本発明による包装スリーブの好適な一例示的実施形態の第１の構成を製作するためのブランク１’を示す。図２Ａでは、図１Ａ〜図１Ｆに関して既に説明したブランクの領域に、対応する参照符号が付けられている。ブランク１’の底面８およびゲーブル面９は、図１Ａのブランク１から変更されていない。
【００４７】
ただし、第１の違いは、単一のスリーブ面１７を形成するために、２つの側面３、４、前面５、および裏面６が組み合わされているという事実である。スリーブ面１７は、封着面７を除いて、ブランク１’の全幅にわたって延在する。
【００４８】
第２の違いは、ブランク１’は２本の疑似折り目線１８をスリーブ面１７の領域に有するという事実である。２本の疑似折り目線１８は互いに平行に延び、底面８の３つの隣接する三角形面１３の接点ＳＢとゲーブル面９の３つの隣接する三角形面１３の接点ＳＧとを通る。スリーブ面１７は、疑似折り目線１８によって、１つの内側部分面域１７Ａと２つの外側部分面域１７Ｂとに細分割されている。内側部分面域１７Ａは両疑似折り目線１８の間に位置し、外側部分面域１７Ｂは２本の疑似折り目線１８の外側に位置する。
【００４９】
更なる違いは、ゲーブル面９の形状である。底面８の長さＬ８はブランク１’の全幅にわたって一定であるが、ゲーブル面９の長さは複数の異なる値を取る。スリーブ面１７の外側部分領域１７Ｂに隣接するゲーブル面９は、縮小された長さＬ９ｍｉｎを有する。他方、スリーブ面１７の内側部分領域１７Ａに隣接するゲーブル面９は、増大された長さＬ９ｍａｘを有する。この形状構成は、内側部分領域１７Ａの高さが外側部分領域１７Ｂより低いことを意味する。製作される包装体のために、前方に傾いた傾斜面が形成される。
【００５０】
好適な図示の例示的実施形態における前面側ゲーブル面は、図１Ｄによる公知の包装スリーブのゲーブル領域における矩形面１２の代わりに、少なくともいくつかの区間にわたって凸状に湾曲した前縁１９を有するゲーブル面１２Ｇから形成される。ゲーブル面１２Ｇの上側コーナー領域に、２つの湾曲したエンボス線１９’を認識できる。これらエンボス線１９’は、楕円に似た優美な形状をゲーブル面１２Ｇにもたらす。円形の脆弱線Ｓがこのゲーブル面１２Ｇ内の中心に示されている。これに関連して、脆弱線Ｓは、所謂「事前に薄片化された穴」を形成するために、支持材に設けられた円形凹部であり、複合材料の残りのプラスチック層、場合によっては更にアルミニウム層、が張られていることが好ましい。その直径は、脆弱線の周囲に貼り付けられる注ぎ口要素の切断要素のサイズに合わせることも、または飲用ストローの挿入を可能にするために相対的に小さく形成することも可能である。
【００５１】
底面８は２つのコーナー点Ｅ８を有し、ゲーブル面９は２つのコーナー点Ｅ９を有する。コーナー点Ｅ８、Ｅ９は、ブランク１’から製作される包装体のコーナー点を形成する。底面８の各コーナー点Ｅ８に、ゲーブル面９の対応するコーナー点Ｅ９が対応付けられる。包装体の直立時、このコーナー点Ｅ８の上方にコーナー点Ｅ９がそれぞれ配置される。折り目線２’が何れの場合も２つの対応するコーナー点Ｅ８、Ｅ９を通る。前記折り目線は、製作される包装体の裏面側の（鉛直に延びる）端縁の形成に役立つ。ただし、図２Ａに示されているブランク１’には、ならびにこれから製作される包装スリーブには、およびこれから製作される包装体には、連続する折り目線２’が２本のみ存在する。本発明の第１の教示によると、底面８のその他のコーナー点とゲーブル面９の対応するコーナー点との間には、すなわち前面側のスリーブ面１７Ａには、折り目線が設けられない。
【００５２】
図２Ｂは、図２Ａに示されているブランク１’から形成された、本発明による包装スリーブ１０’の第１の構成を正面図で示す。図２Ｂでは、図１Ａ〜図２Ａに関して既に説明した包装スリーブ１０の領域に、対応する参照符号が付けられている。包装スリーブ１０’は、ブランク１’から２工程で形成される。最初にブランク１’は２本の疑似折り目線１８に沿って折り畳まれる。次に、スリーブ面１７の２つの部分領域１７Ａ、１７Ｂが封着面７の領域において互いに接合、特に溶着、される。これにより、長手方向シーム１１（図２Ｂでは隠れている）が形成される。したがって、包装スリーブ１’は、底面８の領域の開口部とゲーブル面９の領域の開口部とを有する、周方向に閉じられた周囲構造を有する。この正面図には、両疑似折り目線１８に両側で界接するスリーブ面１７の内側部分領域１７Ａが見える。スリーブ表面１７の残りの部分領域１７Ｂは、包装スリーブ１０’の裏面に隠れており、したがって図２Ｂでは隠れている。
【００５３】
図２Ｃには、図２Ｂの包装スリーブ１’が背面図で示されている。図２Ｃでは、図１Ａ〜図２Ｂに関して既に説明した包装スリーブの領域に、対応する参照符号が付けられている。この背面図には、長手方向シーム１１によって互いに接合され、両疑似折り目線１８に両側で界接するスリーブ面１７の２つの外側部分領域１７Ｂが見える。スリーブ面１７の前面側部分領域１７Ａは、包装スリーブ１０’の前面側に隠れており、したがって図２Ｃでは隠れている。
【００５４】
図２Ｄは、図２Ｂおよび図２Ｃの包装スリーブ１’の展開された状態を示す。図２Ｄでは、図１Ａ〜図２Ｃに関して既に説明した包装スリーブの領域に、対応する参照符号が付けられている。展開された状態は、スリーブ面１７を通る疑似折り目線１８に沿って包装スリーブ１’を折り返すことによって実現される。この折り返しは、約１８０°の角度で行われる。疑似折り目線１８に沿ったこの折り返しは、疑似折り目線１８に隣接するスリーブ面１７の２つの部分領域１７Ａ、１７Ｂがもはや互いに扁平に接しておらず、同じ平面に配置されるという結果をもたらす。したがって、包装スリーブ１０’はその扁平状態においてのみ疑似折り目線１８に沿って折り畳まれている（図２Ｂ、図２Ｃ）。他方、展開された状態（図２Ｄ）では、包装スリーブ１０’は（それから製作される包装体と同様に）疑似折り目線１８に沿ってもはや折り曲げられていない。したがって、「疑似」折り目線１８と表現される。
【００５５】
図２Ｅには、底面およびゲーブル面に折り癖が付けられた図２Ｄの包装スリーブ１０’が示されている。図２Ｅでは、図１Ａ〜図２Ｄに関して既に説明した包装スリーブの領域に、対応する参照符号が付けられている。折り癖が付けられた状態とは、（図１Ｄのように）底面８の領域およびゲーブル面９の領域の折り目線２に折り癖が付けられた状態を意味する。折り癖が付けられるときに矩形面１２は内向きに折り曲げられ、その後に包装体の底およびゲーブルを形成する。折り癖が付けられるときに三角形面１３は外向きに折り曲げられて余剰材料の突出領域を形成する。突出領域は「耳」１４と呼ばれ、以降の製作工程において包装体の側面に、例えば接合手法によって、付着される。
【００５６】
図２Ｆは、図２Ｂに示されている包装スリーブ１０’から形成された、溶着後の、本発明による包装体１５’の第１の構成を示す。図２Ｅでは、図１Ａ〜図２Ｅに関して既に説明した包装体の領域に、対応する参照符号が付けられている。溶着後の、すなわち充填および閉鎖後の状態の、包装体１５’が示されている。スリーブ面１７の内側部分領域１７Ａに隣接するゲーブル面９の面の増大された長さＬ９ｍａｘ、ならびにスリーブ面１７の外側部分領域１７Ｂに隣接するゲーブル面９の領域の縮小された長さＬ９ｍｉｎのため、拡大されたゲーブル面が形成される。このゲーブル面において、包装体１５’に注ぎ口要素ＡＥが設けられる。注ぎ口要素ＡＥは、前方に向かってアーチ状に湾曲した前縁１９にほぼ達するまで延在する。閉鎖後、底面８の領域およびゲーブル面９の領域に、フィンシーム１６が形成される。図２Ｆには、突出する耳１４およびフィンシーム１６が示されている。耳１４およびフィンシーム１６はどちらも、以降の製作工程において、例えば接合手法によって、貼り付けられる。
【００５７】
図２Ｇには、耳１４が付着された図２Ｆの包装体１５’が示されている。図２Ｇでは、図１Ａ〜図２Ｆに関して既に説明した包装体の領域に、対応する参照符号が付けられている。耳１４に加え、フィンシーム１６も包装体１５’に付着されている。ゲーブル面９の領域に配置された上側の耳１４は、下方に折り曲げられてスリーブ面１７に扁平に押し付けられる。上側の耳１４は、スリーブ面１７に接合または溶着されることが好ましい。底面８の領域に配置された下側の耳１４も同様に下方に折り曲げられる。ただし、下側の耳１４は、底面８の２つの矩形面１２によって形成された包装体１５’の下面に扁平に付着される。下側の耳１４も包装体１５’に、特に矩形面１２に、接合または溶着されることが好ましい。ただし、図２Ｇに示されている包装体１５’には、前面側スリーブ面１７Ａの領域に端縁が何もない。本発明による前方に向かってアーチ状に湾曲した包装体の前面は、包装体の平面Ｘによって示されている右側の水平断面においてはっきりと認識可能である。包装体の裏面側端縁における直線状の包装体端縁２’は、下側コーナー点Ｅ８から上側コーナー点Ｅ９まで延在する。
【００５８】
図２Ｅａも、底面およびゲーブル面に折り癖が付けられた図２Ｄの包装スリーブ１０’を示す。したがって、ここでも対応する参照符号が使用されている。図２Ｅとの違いは、下側の三角形面１３が外向きに折り曲げられず、代わりに内側に折り曲げられていることである。
【００５９】
図２Ｆａも、図２Ｂに示されている包装スリーブ１０’から形成された、封着後の、および充填および閉鎖後の状態の、本発明による包装体１５’の第１の構成を示す。したがって、ここでも対応する参照符号が使用されている。図２Ｆとの違いは、三角形面１３が溶着前に外向きに折り曲げられておらず、代わりに内向きに折り曲げられている点である。したがって、下側の「耳」１４は外方に突出せず、内側に延在する。これにより、より短いフィンシーム１６がもたらされる。
【００６０】
図２Ｇａには、上側の耳１４が付着され、上側のフィンシーム１６も付着された、図２Ｆａの包装体１５’が示されている。したがって、ここでも対応する参照符号が使用されている。下側のフィンシーム１６は折り込まれ、底面８の２つの矩形面１２Ｂによって形成された包装体１５’の下面に付着されている。フィンシーム１６は、包装体１５’に、特に矩形面１２Ｂに、接合または溶着されることが好ましい。図２Ｇとの違いは、包装体１５’の底の構造にある。図２Ｇでは、耳１４が矩形面１２Ｂの下に配置されているので、下側から見える。他方、図２Ｇａでは、矩形面１２が耳１４の下に配置されているので、下側から見える。
【００６１】
図３Ａは、本発明による包装スリーブの第２の構成を製作するためのブランク１”を示す。図３Ａのブランク１”は、前面側領域が図２Ａのブランク１’に相当する。したがって、ここでも対応する参照符号が使用されている。ブランク１”も、２本の疑似折り目線１８をスリーブ面１７の領域に有する。加えて、疑似折り目線１８は、底面８の３つの隣接する三角形面１３の接点ＳＢとゲーブル面９の３つの隣接する三角形面１３の接点ＳＧとを通る。スリーブ面１７’は、疑似折り目線１８によって、１つの内側部分領域１７Ａ’と２つの外側部分領域１７Ｂ’とに細分割されている。内側部分領域１７Ａ’は、両疑似折り目線１８の間に位置し、外側部分領域１７Ｂ’は、２本の疑似折り目線１８の外側に位置する。
【００６２】
ここでは、第１の例示的実施形態の連続する裏面側折り目線の代わりに、連続する折り目線がスリーブ面１７Ｂ’に存在せず、相対的に短い折り目線断端２”がコーナー点Ｅ９の下およびコーナー点Ｅ８の上に互いに隣接して存在し、これら断端２”の間に、（小さな中断の後に）何れの場合も２本に細分割された折り目線２０および折り目線２０’が互いに平行に延びる。これらは、折り目線断端２”の直前の短い湾曲部の上および下で互いに接近する。
【００６３】
また、スリーブ面１７’の内側部分領域１７Ａ’の下方には、相対的に短い折り目線断端２”がコーナー点Ｅ８の上に存在する。これら断端２”は、包装体がマンドレル上で製作される場合に、包装体の全体的な印象を著しく変えずに、底部の特に良好な封着を保証する。
【００６４】
図３Ｂには、図３Ａに示されているブランク１”から形成された本発明による包装スリーブ１０”の第２の構成が正面図で示されている。図３Ｂの包装スリーブ１０”は図２Ｂの包装スリーブ１０’にほぼ相当するので、ここでも対応する参照符号が使用されている。違いは、スリーブ面１７’の前面側部分領域１７Ａ’の下方に設けられた、コーナー点Ｅ８の上にある上記の折り目線断端２”にある。
【００６５】
図３Ｃは、図３Ｂの包装スリーブ１０”を背面図で示す。図３Ｃの包装スリーブ１０”は図２Ｃの包装スリーブ１０’にほぼ相当するので、ここでも対応する参照符号が使用されている。ここでも、スリーブ面１７’の外側部分領域１７Ｂ’に設けられた、コーナー点Ｅ９の下およびコーナー点Ｅ８の上の互いに隣接する折り目線断端２”ならびにこれらの間に延在する細分割された折り目線２０および折り目線２０’が著しい違いを形成している。
【００６６】
図３Ｄには、図３Ｂおよび図３Ｃの包装スリーブ１０”が展開された状態で示されている。図３Ｄの包装スリーブ１０”は図２Ｄの包装スリーブ１０’にほぼ相当するので、ここでも対応する参照符号が使用されている。ただし、細分割された折り目線２０および折り目線２０’の故に包装スリーブの裏面側の完全に異なる形状構成のための違いもはっきりと認識可能である。
【００６７】
図３Ｅは、底面およびゲーブル面に折り癖が付けられた図３Ｄの包装スリーブ１０”を示す。図３Ｅの包装スリーブ１０”は図２Ｅの包装スリーブ１０’にほぼ相当するので、ここでも対応する参照符号が使用されている。ただし、包装体の裏面側端縁の「解消」は、特に背後からの図にはっきりと見える。
【００６８】
図３Ｆには、図３Ｂに示されている包装スリーブ１０”から形成された、溶着後の、しかし下側および上側の耳１４が依然として側方に突出している、本発明による包装体１５”の第２の構成が示されている。図３Ｆの包装体１５”は図２Ｆの包装体１５’にほぼ相当するので、ここでも対応する参照符号が使用されている。ここでも、包装体のゲーブル面に注ぎ口要素ＡＥが設けられている。注ぎ口要素ＡＥは、前方に向かってアーチ状に湾曲した前縁１９までほぼ延在する。ただし、裏面側包装体領域の異なる形状構成は、前方からの図では殆ど認識できない。
【００６９】
最後に、図３Ｇは、耳１４が付着された図３Ｆの包装体１５”を示す。図３Ｇの包装体１５”は図２Ｇの包装体１５’にほぼ相当するので、ここでも対応する参照符号が使用されている。この場合も、細分割された折り目線２０および折り目線２０’による裏面側の「包装体端縁」における「くびれ」は、前からの図では殆ど認識できない。
【００７０】
図３Ｅａ、図３Ｆａおよび図３Ｇａならびに断面Ｘも、底面およびゲーブル面に折り癖が付けられた図３Ｄの包装スリーブ１０”を示す。下側の三角形面１３によって形成された耳１４は外向きではなく、内向きに折り畳まれている。したがって、この場合も、対応する参照符号が使用されている。断面Ｘでも、包装体の前方に向かってアーチ状に湾曲した前壁がはっきりと認識可能である。断面Ｘでは、裏面側の「包装体端縁」において約４５°に曲げられた面にわたる折り目線２０および折り目線２０’に加え、包装体の内側に内向きに折り畳まれた耳もはっきりと認識可能である。
【符号の説明】
【００７１】
１、１’、１”  ブランク
２、２’  折り目線
２”  折り目線断端
３、４  側面
５  前面
６  裏面
７  封着面
８  底面
９  ゲーブル面
１０、１０’、１０”  包装スリーブ
１１  長手方向シーム
１２Ｂ  矩形面
１２Ｇ  ゲーブル面
１３  三角形面
１４  耳
１５、１５’、１５”  包装体
１６  フィンシーム
１７、１７’  スリーブ面
１７Ａ、１７Ａ’、１７Ｂ、１７Ｂ’  （スリーブ面１７の）部分領域
１８  疑似折り目線
１９、１９’  （前面側ゲーブル面１２の）前縁、エンボス線
２０、２０’  折り目線
ＡＥ  注ぎ口要素
Ｅ８  （底面８の）コーナー点
Ｅ９  （ゲーブル面９の）コーナー点
Ｓ  脆弱線
ＳＢ  （底面８の三角形面１３の）接点
ＳＧ  （ゲーブル面９の三角形面１３の）接点
【図１Ａ】
2019510697.tif 000003
【図１Ｂ】
2019510697.tif 000004
【図１Ｃ】
2019510697.tif 000005
【図１Ｄ】
2019510697.tif 000006
【図１Ｅ】
2019510697.tif 000007
【図１Ｆ】
2019510697.tif 000008
【図２Ａ】
2019510697.tif 000009
【図２Ｂ】
2019510697.tif 000010
【図２Ｃ】
2019510697.tif 000011
【図２Ｄ】
2019510697.tif 000012
【図２Ｅ】
2019510697.tif 000013
【図２Ｅａ】
2019510697.tif 000014
【図２Ｆ】
2019510697.tif 000015
【図２Ｆａ】
2019510697.tif 000016
【図２Ｇ】
2019510697.tif 000017
【図２Ｇａ】
2019510697.tif 000018
【図３Ａ】
2019510697.tif 000019
【図３Ｂ】
2019510697.tif 000020
【図３Ｃ】
2019510697.tif 000021
【図３Ｄ】
2019510697.tif 000022
【図３Ｅ】
2019510697.tif 000023
【図３Ｅａ】
2019510697.tif 000024
【図３Ｆ】
2019510697.tif 000025
【図３Ｆａ】
2019510697.tif 000026
【図３Ｇ】
2019510697.tif 000027
【図３Ｇａ】
2019510697.tif 000028
【手続補正書】
【提出日】平成30年2月6日(2018.2.6)
【手続補正１】
【補正対象書類名】特許請求の範囲
【補正対象項目名】全文
【補正方法】変更
【補正の内容】
【特許請求の範囲】
【請求項１】
包装体（１５’）を製作するための複合材料製の包装スリーブ（１０’）であって、
−  前面側部分面域（１７Ａ）と裏面側部分面域（１７Ｂ）とから形成されたスリーブ面（１７）と、
−  前記裏面側部分面域（１７Ｂ）に配置された、全周の包装スリーブ（１０’）を形成するために前記複合材料の２つの端縁をつなぐ長手方向シーム（１１）と、
−  前記スリーブ面（１７）を通る２本の疑似折り目線（１８）と、
を備え、
−  前記包装スリーブ（１０’）は前記２本の疑似折り目線（１８）に沿って折り畳まれ、
− 底面（８）およびゲーブル面（９）が前記包装スリーブ（１０’）の両側に配置され、前記底面（８）および前記ゲーブル面（９）は何れの場合も２つの矩形面（８、１２Ｂ）とゲーブル面（９、１２Ｇ）と６つの三角形面（１３）とを備える、
包装スリーブ（１０’）において、
前記包装スリーブ（１０’）は、前記前面側部分面域（１７Ａ）の領域に更なる折り目線を前記２本の疑似折り目線（１８）の間に有さないことを特徴とする、包装スリーブ（１０’）。
【請求項２】
包装体（１５”）を製作するための複合材料製の包装スリーブ（１０”）であって、
−  前面側部分面域（１７Ａ’）と裏面側部分面域（１７Ｂ’）とから形成されたスリーブ面（１７’）と、
−  前記裏面側部分面域（１７Ｂ’）に配置された、全周の包装スリーブ（１０”）を形成するために前記複合材料の２つの端縁をつなぐ長手方向シーム（１１）と、
−  前記スリーブ面（１７’）を通る２本の疑似折り目線（１８）と、
を備え、
−  前記包装スリーブ（１０”）は前記２本の疑似折り目線（１８）に沿って折り畳まれ、
− 底面（８）およびゲーブル面（９）が前記包装スリーブ（１０”）の両側に配置され、前記底面（８）および前記ゲーブル面（９）は何れの場合も２つの矩形面（８、１２Ｂ）とゲーブル面（９，１２Ｇ）と６つの三角形面（１３）とを備える、
包装スリーブ（１０”）において、
前記包装スリーブ（１０”）は、前記前面側部分面域（１７Ａ’）の領域に更なる折り目線を前記２本の疑似折り目線（１８）の間に有さず、前記包装スリーブ（１０”）の裏面側の前記ゲーブル面（９）は、前記包装スリーブ（１０”）の前面側の前記ゲーブル面（１２Ｇ）の長さ（Ｌ９ｍａｘ）より短い長さ（Ｌ９ｍｉｎ）を有することを特徴とする、包装スリーブ（１０”）。
【請求項３】
少なくとも一部の区間において中断および／または細分割された折り目線（２”、２０、２０’）が前記裏面側部分面域（１７Ｂ’）に設けられることを特徴とする、請求項２に記載の包装スリーブ（１０”）。
【請求項４】
前記裏面側部分面域（１７Ｂ’）に配置される前記折り目線は折り目線断端（２”）として形成され、前記折り目線断端（２”）は前記包装スリーブ（１０”）の底領域に、および／またはゲーブル領域に、配置可能であることを特徴とする、請求項３に記載の包装スリーブ（１０”）。
【請求項５】
前記裏面側部分面域（１７Ｂ’）に配置される前記折り目線は、好ましくは互いにほぼ平行に延びる、細分割された折り目線（２０、２０’）として形成されることを特徴とする、請求項３または４に記載の包装スリーブ（１０”）。
【請求項６】
前記包装スリーブ（１０’、１０”）は前記２本の疑似折り目線（１８）に沿って何れの場合も約１８０°の角度で扁平に折り畳まれることを特徴とする、請求項１または請求項２〜５の何れか一項に記載の包装スリーブ（１０’、１０”）。
【請求項７】
前記疑似折り目線（１８）は前記底面（８）の３つの隣接する三角形面（１３）の接点（ＳＢ）と前記ゲーブル面（９）の３つの隣接する三角形面（１３）の接点（ＳＧ）とを通ることを特徴とする、請求項１または２に記載の包装スリーブ（１０’、１０”）。
【請求項８】
前記包装スリーブ（１０’）の裏面側の前記ゲーブル面（９）は、前記包装スリーブ（１０’）の前面側の前記ゲーブル面（１２Ｇ）の長さ（Ｌ９ｍａｘ）より短い長さ（Ｌ９ｍｉｎ）を有することを特徴とする、請求項１に記載の包装スリーブ（１０’）。
【請求項９】
前記包装スリーブ（１０’、１０”）の前面側は、少なくともいくつかの区間にわたって凸状に湾曲した前縁（１９）によって前記スリーブ面（１７Ａ）に界接する前面側ゲーブル面（１２Ｇ）を有することを特徴とする、請求項１〜８の何れか一項に記載の包装スリーブ（１０’、１０”）。
【請求項１０】
前記前面側ゲーブル面（１２Ｇ）は凸状に湾曲したエンボス線（１９’）を上縁領域に有することを特徴とする、請求項９に記載の包装スリーブ（１０’、１０”）。
【請求項１１】
前記前面側ゲーブル面（１２Ｇ）は好ましくは中心に配置された脆弱ゾーン（Ｓ）を有することを特徴とする、請求項１〜１０の何れか一項に記載の包装スリーブ（１０’、１０”）。
【請求項１２】
前記疑似折り目線（１８）は前記包装スリーブ（１０’、１０”）の外面に筋付けされることを特徴とする、請求項１〜１１の何れか一項に記載の包装スリーブ（１０’、１０”）。
【請求項１３】
前記折り目線（２’、２”、２０、２０’）は前記包装スリーブ（１０’、１０”）の内面に筋付けされることを特徴とする、請求項１〜１２の何れか一項に記載の包装スリーブ（１０’、１０”）。
【請求項１４】
複合材料製の包装体（１５’、１５”）であって、
−  前記包装体（１５’、１５”）は、請求項１〜１３の何れか一項に記載の包装スリーブ（１０’、１０”）から製作され、
−  前記包装体（１５’、１５”）は、底面（８）の領域およびゲーブル面（９）の領域において閉鎖される、
包装体（１５’、１５”）において、
前記包装体（１５’、１５”）はスリーブ面（１７）の領域に端縁を有さない、または連続した端縁を有さない、ことを特徴とする包装体（１５’、１５”）。
【請求項１５】
複合材料製の包装体（１５’、１５”）であって、
−  前記包装体（１５’、１５”）は、請求項１〜１３の何れか一項に記載の包装スリーブ（１０’、１０”）から製作され、
−  前記包装体（１５’、１５”）は、底面（８）の領域およびゲーブル面（９）の領域において閉鎖される、
包装体（１５’、１５”）において、
前記包装体（１５’、１５”）は前面側スリーブ面（１７Ａ）の領域に端縁を有さない、または連続した端縁を有さない、ことを特徴とする包装体（１５’、１５”）。
【請求項１６】
少なくともいくつかの区間にわたって中断および／または細分割された折り目線（２”、２０、２０’）が裏面側部分面域（１７Ｂ’）に設けられることを特徴とする、請求項１４または１５に記載の包装体（１５’、１５”）。
【請求項１７】
前記疑似折り目線（１８）に隣接する前記スリーブ面（１７）の前記部分領域（１７Ａ、１７Ｂ）は互いに対して何れの場合も１６０°と２００°の間、特に１７０°と１９０°の間、の角度範囲内に配置されることを特徴とする、請求項１４〜１６の何れか一項に記載の包装体（１５’、１５”）。
【請求項１８】
前記包装体（１５’、１５”）の下方領域において前記底面（８）に付着される耳（１４）によって特徴付けられる、請求項１４〜１７の何れか一項に記載の包装体（１５’、１５”）。
【請求項１９】
前記包装体（１５’、１５”）の上方領域において前記スリーブ面（１７）に付着される耳（１４）によって特徴付けられる、請求項１４〜１８の何れか一項に記載の包装体（１５’、１５”）。
【請求項２０】
複合材料製の包装スリーブ（１０’、１０”）から包装体（１５’、１５”）を製作する方法であって、
（ａ）請求項１〜１４の何れか一項に記載の包装スリーブ（１０’、１０”）を供給するステップと、
（ｂ）前記包装スリーブ（１０’、１０”）のスリーブ面（１７）を両疑似折り目線（１８）に沿って折り返すステップと、
を含む方法。
【請求項２１】
前記疑似折り目線（１８）に隣接する前記スリーブ面（１７）の部分領域（１７Ａ、１７Ｂ）は、再び折り返された後、何れの場合も互いに対して１６０°と２００°の間、特に１７０°と１９０°の間、の角度範囲内にあることを特徴とする、請求項２０に記載の方法。
【国際調査報告】
2019510697.tif 000029
2019510697.tif 000030
2019510697.tif 000031
2019510697.tif 000032
2019510697.tif 000033
2019510697.tif 000034